(57)【要約】【課題】独自の経由地（休憩地点）を設定するシーケンスを実行することにより、長時間連続運転を防止するナビゲーション装置を提供することである。【解決手段】目的地及び／又は経由地までの経路を誘導するナビゲーション装置１０において、所定時間を超えて連続で運転している状態である長時間連続運転か否かを判別する連続運転警告部３０を備え、長時間連続運転であると判別した場合、自動的に付近の休憩可能な施設を休憩地点として経由地に設定し、該休憩地点までの経路を誘導する構成とする。【選択図】図１
2011052979.tif 000002
【特許請求の範囲】
【請求項１】
目的地及び／又は経由地までの経路を誘導するナビゲーション装置において、
所定時間を超えて連続で運転している状態である長時間連続運転か否かを判別する連続運転警告部を備え、
長時間連続運転であると判別した場合、自動的に付近の休憩可能な施設を休憩地点として経由地に設定し、該休憩地点までの経路を誘導することを特徴とするナビゲーション装置。
【請求項２】
前記休憩地点が無視されたと判断した場合、自動的に新たな休憩地点を経由地に設定し、該新たな休憩地点までの経路を誘導することを特徴とする請求項１記載のナビゲーション装置。
【請求項３】
前記休憩地点が無視されたとする判断基準は、前記休憩地点までの誘導経路を逸脱して再探索する処理を所定回数実行した場合、前記休憩地点までの誘導経路を逸脱して前記休憩地点から所定距離以上遠ざかった場合、前記休憩地点までの誘導経路を逸脱して許容時間以上復帰しない場合、前記休憩地点で停車せずに通過した場合の何れかに基づくことを特徴とする請求項２記載のナビゲーション装置。
【請求項４】
目的地が設定されていない場合、
前記新たな休憩地点は、それまでの休憩地点と同じ種別の施設も含めて検索することを特徴とする請求項２又は３記載のナビゲーション装置。
【請求項５】
目的地が設定されている場合、
休憩地点及び新たな休憩地点は、目的地までの誘導経路上の休憩可能な施設とし、
前記新たな休憩地点は、それまでの休憩地点と同じ種別の施設を除いて検索することを特徴とする請求項２〜４の何れかに記載のナビゲーション装置。
【請求項６】
前記所定時間の計測は、一定時間以上停車した場合にリセットすることを特徴とする請求項１〜５の何れかに記載のナビゲーション装置。
【請求項７】
前記連続運転警告部が前記所定時間未満で且つ規定時間を超えて連続で運転している状態であると判別した場合、
休憩を促すことを特徴とする請求項１〜６の何れかに記載のナビゲーション装置。
【発明の詳細な説明】
【技術分野】
【０００１】
本発明は、長時間連続運転を防止するナビゲーション装置に関する。
【背景技術】
【０００２】
ナビゲーション装置において、従来から音や表示によって警告することで長時間連続運転を防止する技術が提案されている。例えば、特許文献１には、運転者の操作によって基準運転時間の変更と警告手段の選択が可能になっており、車両の継続した運転時間が基準運転時間以上になったときに、選択された警告手段によって休憩を促す警告を行う長時間運転警告装置が開示されている。
【０００３】
また特許文献２には、エンジンが起動していて運転者が座席に着席しているか、走行距離が増加しているか、フットブレーキを使用中であるか、タコメータの値がアイドリング状態の値よりも大であるか、速度は０よりも大であるかの少なくとも１つの条件が成立しているか否かを検知する検知部を有し、１つ以上の条件が成立している場合のみの運転時間を計測する計測部と、計測部の値を閾値と比較する比較部と、比較部において計測部の値が閾値を超えたと判断したときに表示部を駆動制御する制御部とを備えるように構成した運転時間表示装置が開示されている。
【０００４】
また特許文献３には、車速信号から車両が走行中か停車中かを判定して走行中の時間をカウントし、その走行時間が休憩に相当する停車時間を除いた一定時間を超えたときには長時間連続運転中であるとして警告を発するように構成した連続運転警告装置が開示されている。
【先行技術文献】
【特許文献】
【０００５】
【特許文献１】特開２００６−２６０３６８号公報
【特許文献２】特開平５−１２４４５４号公報
【特許文献３】特開平５−６７２６３号公報
【発明の概要】
【発明が解決しようとする課題】
【０００６】
しかしながら、これらの技術は単に長時間連続運転を警告するのみであり、警告後の具体的な回避策を提示するものではない。したがって、運転者によってはこれらの警告を無視したり、警告に気付かなかったりして、過労運転や居眠り運転という自体を引き起こすという問題がある。
【０００７】
本発明は、独自の経由地（休憩地点）を設定するシーケンスを実行することにより、長時間連続運転を防止するナビゲーション装置を提供することを目的とする。
【課題を解決するための手段】
【０００８】
上記目的を達成するために本発明は、目的地及び／又は経由地までの経路を誘導するナビゲーション装置において、所定時間を超えて連続で運転している状態である長時間連続運転か否かを判別する連続運転警告部を備え、長時間連続運転であると判別した場合、自動的に付近の休憩可能な施設を休憩地点として経由地に設定し、該休憩地点までの経路を誘導することを特徴とする。
【０００９】
この構成によると、長時間連続運転である場合に、付近の休憩地点へ誘導することができる。
【００１０】
上記のナビゲーション装置において、前記休憩地点が無視されたと判断した場合、自動的に新たな休憩地点を経由地に設定し、該新たな休憩地点までの経路を誘導することが好ましい。
【００１１】
この構成によると、提示した休憩地点に停車しなかった場合でも、次の休憩地点に誘導することができる。
【００１２】
また上記のナビゲーション装置において、具体的に、前記休憩地点が無視されたとする判断基準は、前記休憩地点までの誘導経路を逸脱して再探索する処理を所定回数実行した場合、前記休憩地点までの誘導経路を逸脱して前記休憩地点から所定距離以上遠ざかった場合、前記休憩地点までの誘導経路を逸脱して許容時間以上復帰しない場合、前記休憩地点で停車せずに通過した場合の何れかに基づくこととすればよい。
【００１３】
また上記のナビゲーション装置において、目的地が設定されていない場合、前記新たな休憩地点は、それまでの休憩地点と同じ種別の施設も含めて検索することが望ましい。目的地が設定されていない場合を想定しているので、休憩地点を無視した理由としては、休憩地点が運転者の希望に添わなかったわけではなく、休憩地点が走行する経路上になかったと考えられるからである。
【００１４】
また上記のナビゲーション装置において、目的地が設定されている場合、休憩地点及び新たな休憩地点は、目的地までの誘導経路上の休憩可能な施設とし、前記新たな休憩地点は、それまでの休憩地点と同じ種別の施設を除いて検索することが望ましい。目的地が設定されている場合を想定しているので、休憩地点を無視した理由としては、休憩地点が運転者の希望に添わなかったと考えられるからである。
【００１５】
また上記のナビゲーション装置において、前記所定時間の計測は、一定時間以上停車した場合にリセットすることが望ましい。直ぐにリセットしてしまうと十分な休憩をとっていないことも想定されるからである。
【００１６】
また上記のナビゲーション装置において、前記連続運転警告部が前記所定時間未満で且つ規定時間を超えて連続で運転している状態であると判別した場合、休憩を促すようにしてもよい。
【００１７】
この構成によると、長時間連続運転になる前に運転者に注意でき、休憩を促すことができる。
【発明の効果】
【００１８】
本発明によると、長時間連続運転である場合に付近の休憩地点へ誘導するので、従来の警告するだけの場合よりも確実に長時間連続運転を防止することができる。その結果、過労運転や居眠り運転を減少させることができる。
【図面の簡単な説明】
【００１９】
【図１】本発明のナビゲーション装置の主要な構成を示すブロック図である。
【図２】本発明の他のナビゲーション装置の主要な構成を示すブロック図である。
【図３】目的地が設定されていない場合の本発明のナビゲーション装置の動作を示すフローチャートである。
【図４】目的地が設定されている場合の本発明のナビゲーション装置の動作を示すフローチャートである。
【発明を実施するための形態】
【００２０】
図１は、本発明のナビゲーション装置の主要な構成を示すブロック図である。ナビゲーション装置１０は、車両搭載用であって、ＧＰＳ（Global Positioning System）衛星から受信した電波に基づいて車両位置を特定し、車両位置とともにその付近の地図が示された誘導画面を表示して、誘導経路に沿って車両を目的地及び／又は経由地まで誘導することを主たる機能としている。
【００２１】
ナビゲーション装置１０は、ＧＰＳ部１１と、ジャイロセンサ１２と、車速センサ１３と、インターフェース部１４と、制御部１５と、記録媒体１９と、ドライブ部２０と、描画部２１と、表示制御部２２と、表示部２３と、音源回路部２４と、スピーカ２５と、ハードキー２６と、タッチパネル２７と、位置検出部２８と、インターフェース部２９と、連続運転警告部３０とを備えている。
【００２２】
ＧＰＳ部１１は、受信アンテナ及びチューナ等で構成されており、ＧＰＳ衛星から受信した電波を処理して測位用データを取り出す。取り出された測位用データは、インターフェース部１４を介して制御部１５に送られる。制御部１５は、ＧＰＳ部１１から送られた測位用データに基づいて車両の現在地を特定する。ナビゲーション装置１０は、所謂ハイブリッド方式を採用しており、車両の向きを検知するためのジャイロセンサ１２と、車両の速度を検知するための車速センサ１３も併用する。ジャイロセンサ１２や車速センサ１３の検知信号はインターフェース部１４を介して制御部１５に送られ、制御部１５はそれらの信号に基づいて車両の向きや速度を特定する。
【００２３】
また、制御部１５は、ナビゲーション装置１０の制御を統括的に行うとともに、車両位置の特定や経路探索等の各種動作及び処理を実行する。制御部１５は、例えばマイクロコンピュータで構成されており、制御や動作の手順が記述された各種プログラムを実行するＣＰＵ１６と、ＣＰＵ１６で使用されるデータや、後述する記録媒体１９から読み出されてＣＰＵ１６で実行されるプログラムを一時的に記憶するＲＡＭ１７と、立ち上げや入出力等に関する基本的な制御を記述したプログラムやフォントデータ等を記憶するＲＯＭ１８とを含んでいる。これらＣＰＵ１６、ＲＡＭ１７、ＲＯＭ１８等は、バス（不図示）を介して接続されている。
【００２４】
記録媒体１９には、ハードディスク、メモリーカード、光ディスク等を採用できる。記録媒体１９には、誘導画面の表示や経路探索などに必要となる地図データベースと、ナビゲーション装置１０の各種動作を記述したプログラムとが格納されている。そして、制御部１５は、記録媒体１９からドライブ部２０を介してこのプログラムを読み出して実行する。地図データベースには、道路、施設、背景等の情報を含む地図データ、地図データに基づいて地図や誘導画面を描画する際に参照される描画パラメータ、各種検索にて参照される索引データ、経路誘導用やその他の用途の音声の生成に使用される音声データ等が含まれている。そして、制御部１５は、実行する動作に必要なデータを地図データベースから部分的に取り出して参照する。
【００２５】
描画部２１は、描画専用のＣＰＵ等を含むＩＣチップであって、制御部１５からの指示に基づいて、誘導画面の画像データや操作画面の画像データ等を作成する。描画部２１で作成された画像データは、表示制御部２２に送られ、表示制御部２２が有するＲＡＭに記憶される。表示制御部２２は、記憶した画像データに基づいて表示部２３に画像表示用の信号を送り、表示部２３の表示領域に画像データに係る画面を表示させる。表示部２３には、ＬＣＤや有機ＥＬディスプレイなどが用いられる。
【００２６】
音源回路部２４は、制御部１５から送られた音声データに基づいて、経路誘導用やその他の用途のアナログ音声信号を生成する。生成されたアナログ音声信号は、スピーカ２５で再生される。
【００２７】
ハードキー２６は、電源のオン／オフをする電源キーや音量調整用のキー等を含んでいる。ハードキー２６を構成するキーの１つが押下されると、そのキーの押下を通知する信号がインターフェース部２９を介して制御部１５に送られる。
【００２８】
タッチパネル２７は、例えば、格子状に配置された透明な電極を有する感圧式のパネルであって、表示部２３の表示領域上に配設される。タッチパネル２７が押下されると、位置検出部２８は、タッチパネル２７から送られた電圧信号に基づいて、押下された位置の座標情報を通知する信号を生成する。この信号は、インターフェース部２９を介して制御部１５に送られる。
【００２９】
連続運転警告部３０は、連続運転警告専用のＣＰＵ等を含むＩＣチップであって、ＧＰＳ部１１やジャイロセンサ１２や車速センサ１３などからの情報を基に、所定時間Ｂを超えて連続で運転している状態である長時間連続運転か否かを判別し、制御部１５に出力する。また、所定時間Ｂ未満で且つ規定時間Ａを超えて連続で運転している状態であるか否かも判別し、制御部に出力する。これらの出力に基づいて制御部１５が休憩を促すように制御する。
【００３０】
ここで所定時間Ｂは、過労運転や居眠り運転に繋がる時間を目安に設計すればよく、例えば２時間とすることができる。また規定時間Ａは、例えば１．５時間とすることができる。なお、所定時間Ｂの計測は、一定時間Ｃ以上停車した場合にリセットする。ここで一定時間Ｃは、信号や渋滞などで停止している時間を含まないように、例えば５分とすることができる。
【００３１】
図２は、本発明の他のナビゲーション装置の主要な構成を示すブロック図である。このナビゲーション装置４０が図１のナビゲーション装置１０と異なる点は、ネットワークに接続できる点である。以下では図１と異なる構成についてのみ説明し、図１と同じ構成については同符号を付しその詳細な説明を省略する。
【００３２】
ナビゲーション装置４０は、インターフェース部４１を備えている。そして、インターフェース部４１はインターネットなどのネットワーク４２に接続されている。この構成により、ネットワーク４２を介して最新の地図データなどを取り込むことができる。また、ソフトウェアやファームウェアのアップデートも行うことができる。
【００３３】
次に、長時間連続運転を防止する動作について、ナビゲーション装置１０を用いて説明する。以下では、目的地が設定されていない場合と、目的地が設定されている場合とに分けて説明する。
【００３４】
図３は、目的地が設定されていない場合のナビゲーション装置１０の動作を示すフローチャートである。ナビゲーション装置１０は起動するとステップＳ１０において、今、運転状態であるか否かを判別する。運転状態とは、運転者が車を運転中の状態を指し、その判断方法としては、例えば、車速が０より大きいか、フットブレーキを使用しているかの何れかの状態であれば、運転状態であると判別すればよい。なお、車速が０より大きいか否かという判別に代えて、走行距離が増加しているか、又は現在地が移動しているかという判別を採用することもできる。
【００３５】
ステップＳ１０において運転状態であると判別した場合、ステップＳ１１へ進んで運転状態の継続時間を計測するため、計時を開始する。そして、ステップＳ１２へ進んで計測中の時間ｔが規定時間Ａを超えたか否かを判別する。
【００３６】
ステップＳ１２においてｔ≦Ａであれば、まだ休憩を促す必要はないと判断し、次にステップＳ２３へ進んで一定時間Ｃ以上停車しているか否かを判別する。もし、一定時間Ｃ以上停車しているならば、休憩したと判断し、ステップＳ２２へ進んで計時を終了（リセット）し、ステップＳ１０に戻る。一方、ステップＳ２３において一定時間Ｃ以上停車していないならば、ステップＳ１２に戻るサイクルを繰り返す。
【００３７】
そして、ステップＳ１２においてｔ＞Ａになれば、長時間連続運転の一歩手前の状態であると判断し、休憩を促す。これには、「休憩してください」などのメッセージを表示部２３に表示させたり、スピーカ２５から音声出力したりすればよい。
【００３８】
その後、ステップＳ１４へ進んで計測中の時間ｔが所定時間Ｂを超えたか否かを判別する。ステップＳ１４においてｔ≦Ｂであれば、まだ長時間連続運転ではないと判断し、次にステップＳ２４へ進んで一定時間Ｃ以上停車しているか否かを判別する。もし、運転者がステップＳ１３での注意にしたがって休憩しており一定時間Ｃ以上停車しているならば、休憩したと判断し、ステップＳ２２へ進んで計時を終了（リセット）し、ステップＳ１０に戻る。一方、ステップＳ２４において一定時間Ｃ以上停車していないならば、ステップＳ１４に戻るサイクルを繰り返す。
【００３９】
そして、ステップＳ１４においてｔ＞Ｂになれば、長時間連続運転であると判断し、ステップＳ１５へ進んで現在地付近の休憩可能な施設を検索し、その１つを休憩地点として経由地に設定し、ステップＳ１６へ進んで該休憩地点までの経路を誘導する。
【００４０】
ここで休憩可能な施設とは、パーキングエリア、喫茶店、コンビニエンスストア、ファストフード店などの種別の施設を指す。検索した候補の中からどれを休憩地点に設定するかは、例えば、全ての種別の中で現在地から最も近い施設としたり、ユーザが予め休憩地点とする施設の種別の優先度を設定しておき、優先度の高い種別の中で現在地から最も近い施設としたりすることができる。
【００４１】
ステップＳ１６からはステップＳ１７へ進んで、休憩地点までの誘導が無視されたか否かを判別する。休憩地点が無視されたとする判断基準は、休憩地点までの誘導経路を逸脱して再探索する処理（ステップＳ１６の経路誘導に含まれる）を所定回数実行した場合、休憩地点までの誘導経路を逸脱して休憩地点から所定距離（例えば１００ｍ）以上遠ざかった場合、休憩地点までの誘導経路を逸脱して許容時間（例えば５分）以上復帰しない場合、休憩地点で停車せずに通過した場合などに基づけばよい。
【００４２】
ステップＳ１７において休憩地点が無視されたと判断した場合、ステップＳ１８へ進んで現在地付近の新たな休憩可能な施設を検索し、その１つを新たな休憩地点として経由地に設定し、ステップＳ１９へ進んでこの新たな休憩地点までの経路を誘導する。本実施形態は目的地が設定されていない場合を想定しているので、休憩地点を無視した理由としては、休憩地点が運転者の希望に添わなかったわけではなく、休憩地点が走行する経路上になかったと考えられる。したがって、ステップＳ１８において新たな休憩地点は、それまでの休憩地点と同じ種別の施設も含めて検索する。但し、ステップＳ１８において新たな休憩地点は、それまでの休憩地点と同じ種別の施設を除いて検索するようにしても問題はない。
【００４３】
ステップＳ１７で休憩地点が無視されたと判断していない場合、又はステップＳ１９からは、ステップＳ２０へ進んで（新たな）休憩地点に到着したか否かを判別する。そしてまだ到着していなければ、ステップＳ１７に戻り、一方、休憩地点に到着した場合はステップＳ２１へ進む。このように、ステップＳ１５〜ステップＳ２０の動作により、長時間連続運転している場合には付近の休憩地点まで誘導する。
【００４４】
ステップＳ２１では、一定時間Ｃ以上停車しているか否かを判別する。もし、一定時間Ｃ以上停車しているならば、休憩したと判断し、ステップＳ２２へ進んで計時を終了（リセット）し、ステップＳ１０に戻る。一方、ステップＳ２１において一定時間Ｃ以上停車していないならば、休憩していないと判断し、ステップＳ１８に戻り、再び新たに休憩地点を検索する。
【００４５】
図４は、目的地が設定されている場合のナビゲーション装置１０の動作を示すフローチャートである。ナビゲーション装置１０は、目的地が入力されると、ステップＳ３０において目的地まで経路誘導を開始する。続いて、ステップＳ３１へ進んで、運転状態であるか否かを判別する。運転状態の判断方法は上記と同様に行うことができる。
【００４６】
ステップＳ３１において運転状態であると判別した場合、ステップＳ３２へ進んで運転状態の継続時間を計測するため、計時を開始する。そして、ステップＳ３３へ進んで計測中の時間ｔが規定時間Ａを超えたか否かを判別する。
【００４７】
ステップＳ３３においてｔ≦Ａであれば、まだ休憩を促す必要はないと判断し、次にステップＳ４４へ進んで一定時間Ｃ以上停車しているか否かを判別する。もし、一定時間Ｃ以上停車しているならば、休憩したと判断し、ステップＳ４３へ進んで計時を終了（リセット）し、ステップＳ３１に戻る。一方、ステップＳ４４において一定時間Ｃ以上停車していないならば、ステップＳ４５へ進んで目的地に到着したか否かを判別する。目的地に到着すれば処理を終了し、目的地に到着していなければステップＳ３３に戻るサイクルを繰り返す。
【００４８】
そして、ステップＳ３３においてｔ＞Ａになれば、長時間連続運転の一歩手前の状態であると判断し、休憩を促す。これには、「休憩してください」などのメッセージを表示部２３に表示させたり、スピーカ２５から音声出力したりすればよい。
【００４９】
その後、ステップＳ３５へ進んで計測中の時間ｔが所定時間Ｂを超えたか否かを判別する。ステップＳ３５においてｔ≦Ｂであれば、まだ長時間連続運転ではないと判断し、次にステップＳ４６へ進んで一定時間Ｃ以上停車しているか否かを判別する。もし、運転者がステップＳ３４での注意にしたがって休憩しており一定時間Ｃ以上停車しているならば、休憩したと判断し、ステップＳ４３へ進んで計時を終了（リセット）し、ステップＳ３１に戻る。
【００５０】
一方、ステップＳ４６において一定時間Ｃ以上停車していないならば、ステップＳ４７へ進んで目的地に到着したか否かを判別する。目的地に到着すれば処理を終了し、目的地に到着していなければステップＳ３５に戻るサイクルを繰り返す。
【００５１】
そして、ステップＳ３５においてｔ＞Ｂになれば、長時間連続運転であると判断し、ステップＳ３６へ進んで目的地までの誘導経路上であって現在地付近の休憩可能な施設を検索し、その１つを休憩地点として経由地に設定し、ステップＳ３７へ進んで該休憩地点までの経路を誘導する。
【００５２】
ここで休憩可能な施設とは、パーキングエリア、喫茶店、コンビニエンスストア、ファストフード店などの種別の施設を指す。検索した候補の中からどれを休憩地点に設定するかは、例えば、全ての種別の中で目的地までの誘導経路上にあって現在地から最も近い施設としたり、ユーザが予め休憩地点とする施設の種別の優先度を設定しておき、優先度の高い種別の中で目的地までの誘導経路上にあって現在地から最も近い施設としたりすることができる。
【００５３】
なお、ステップＳ３６においては、必ずしも目的地までの誘導経路上から休憩地点を設定しなくてもよく、多少の迂回経路上の休憩地点を設定してもよい。これは、現在地付近の誘導経路上に休憩可能な施設がない場合に有効である。
【００５４】
ステップＳ３７からはステップＳ３８へ進んで、休憩地点までの誘導が無視されたか否かを判別する。休憩地点が無視されたとする判断基準は、休憩地点までの誘導経路を逸脱して再探索する処理（ステップＳ３７の経路誘導に含まれる）を所定回数実行した場合、休憩地点までの誘導経路を逸脱して休憩地点から所定距離（例えば１００ｍ）以上遠ざかった場合、休憩地点までの誘導経路を逸脱して許容時間（例えば５分）以上復帰しない場合、休憩地点で停車せずに通過した場合などに基づけばよい。
【００５５】
特に、目的地までの誘導経路上に休憩地点を設定した場合は、誘導経路から外れる可能性は低いので、休憩地点で停車せずに通過した場合を休憩地点が無視されたと判断する基準にすることが好ましい。
【００５６】
ステップＳ３８において休憩地点が無視されたと判断した場合、ステップＳ３９へ進んで目的地までの誘導経路上であって現在地付近の新たな休憩可能な施設を検索し、その１つを新たな休憩地点として経由地に設定し、ステップＳ４０へ進んでこの新たな休憩地点までの経路を誘導する。目的地までの誘導経路上に休憩地点を設定した場合、休憩地点を無視した理由としては、休憩地点が運転者の希望に添わなかったからだと考えられる。したがって、ステップＳ３９において新たな休憩地点は、それまでの休憩地点と同じ種別の施設を除いて検索する。但し、ステップＳ３９において新たな休憩地点は、それまでの休憩地点と同じ種別の施設を含めて検索するようにしても問題はない。
【００５７】
ステップＳ３８で休憩地点が無視されたと判断していない場合、又はステップＳ４０からは、ステップＳ４１へ進んで（新たな）休憩地点に到着したか否かを判別する。そしてまだ到着していなければ、ステップＳ４８へ進んで目的地に到着したか否かを判別する。目的地に到着すれば処理を終了し、目的地に到着していなければステップＳ３８に戻る。      
【００５８】
一方、ステップＳ４１において休憩地点に到着した場合はステップＳ４２へ進む。このように、ステップＳ３６〜ステップＳ４１の動作により、長時間連続運転している場合には付近の休憩地点まで誘導する。
【００５９】
ステップＳ４２では、一定時間Ｃ以上停車しているか否かを判別する。もし、一定時間Ｃ以上停車しているならば、休憩したと判断し、ステップＳ４３へ進んで計時を終了（リセット）し、ステップＳ３１に戻る。一方、ステップＳ４２において一定時間Ｃ以上停車していないならば、休憩していないと判断し、ステップＳ３９に戻り、再び新たに休憩地点を検索する。
【００６０】
なお、図３のステップＳ１２、ステップＳ１３、ステップＳ２３、図４のステップＳ３３、ステップＳ３４、ステップＳ４４、ステップＳ４５の処理は省略してもよい。この場合、長時間連続運転の一歩手前の状態で休憩を促す動作が省略される。
【００６１】
また、図３のステップＳ２１、図４のステップＳ４２の処理は省略してもよい。その場合、休憩地点に到着した時点で休憩したと判断し、計時を終了（リセット）する。
【００６２】
また本発明において、休憩地点の設定は、ナビゲーション装置で自動的に設定する代わりに、表示部２３にいくつかの休憩地点の候補を地図上にアイコンで１画面又は分割画面で表示したり候補の名称の一覧を表示したりして運転者が所望の地点を選択可能にしてもよい。
【産業上の利用可能性】
【００６３】
本発明は、車載用のポータブル型又は固定型のナビゲーション装置に利用することができる。
【符号の説明】
【００６４】
１０、４０    ナビゲーション装置
３０    連続運転警告部
【図１】
2011052979.tif 000003
【図２】
2011052979.tif 000004
【図３】
2011052979.tif 000005
【図４】
2011052979.tif 000006